(57)【要約】【課題】柄杓を移動させることなく確実に保持することができ、所定の位置で柄杓を容易に掴み取ることができるようにする使い勝手の良い釣り用柄杓立ての提供を目的としている。【解決手段】本発明の一実施形態に係る釣り用柄杓立て１は、柄杓４０を移動しないように保持するための複数の柄杓保持部１５を容器本体２の内側に隣接して有しているため、容器本体２内に立て掛けた柄杓４０の柄４０ａを柄杓保持部１５に保持させることにより、柄杓４０を移動不能に立て掛けることができ、所定の位置で柄杓４０を容易に掴み取ることができるようになる。【選択図】図１
2008029301.tif 000002
【特許請求の範囲】
【請求項１】
撒き餌を掬い取るための柄杓を立てた状態で保持する釣り用柄杓立てにおいて、
上方に開口部を有する容器本体と、撒き餌容器に対して前記容器本体を係止させるための係止具とを有し、柄杓を移動しないように保持するための柄杓保持部が前記容器本体の内側に設けられていることを特徴とする釣り用柄杓立て。
【請求項２】
前記容器本体の内側には、容器本体の底部側から前記開口部に向かって外側に傾斜する傾斜面が形成され、この傾斜面に前記柄杓保持部が設けられていることを特徴とする請求項１に記載の釣り用柄杓立て。
【請求項３】
前記傾斜面は、前記底部側に形成された第１の傾斜面と、前記開口部側に形成され且つ前記第１の傾斜面よりも傾斜が緩やかな第２の傾斜面とを有し、前記第２の傾斜面に前記柄杓保持部が設けられていることを特徴とする請求項１または請求項２に記載の釣り用柄杓立て。
【請求項４】
前記傾斜面は、前記底部側に形成された第１の傾斜面と、前記開口部側に形成され且つ前記第１の傾斜面よりも傾斜が緩やかな第２の傾斜面とを有し、前記第１の傾斜面と前記第２の傾斜面との間に前記柄杓保持部が設けられていることを特徴とする請求項１または請求項２に記載の釣り用柄杓立て。
【請求項５】
前記容器本体は、前記傾斜面と対向する対向面を有し、
前記第２の傾斜面は、容器本体の底部の前記対向面側に向かって斜めに延びていることを特徴とする請求項３または請求項４に記載の釣り用柄杓立て。
【発明の詳細な説明】
【技術分野】
【０００１】
本発明は、撒き餌を掬い取るための柄杓を立てた状態で保持する釣り用柄杓立てに関する。
【背景技術】
【０００２】
従来から、特に磯釣りでは、撒き餌を使用することが多く、この撒き餌を撒くにあたっては、撒き餌を掬い取ってポイントに投入するために釣り用柄杓が使用されてきた。
【０００３】
撒き餌は、通常、所定の容器（以下、撒き餌容器という）に入れられて、釣りをしている最中にいつでも投入できるように足下に置かれる。このとき、釣り用柄杓は、一般に、撒き餌容器内に当該容器の周壁に立て掛けられた状態で置かれる。
【０００４】
しかし、このようにして釣り用柄杓を撒き餌容器の周壁に無造作に立て掛けた状態で置いておくと、釣り用柄杓が撒き餌容器の開口内で自由に移動して、容器内に釣り用柄杓が倒れ込んでしまう場合がある。そのため、釣り用柄杓を保持するための柄杓立てが用いられるようになった（例えば、特許文献１ないし特許文献４参照）。
【特許文献１】特開２００６−５５１０７号公報
【特許文献２】実開平４−５２４７９号公報
【特許文献３】実開平７−３９４５１号公報
【特許文献４】特開２００６−８１号公報
【発明の開示】
【発明が解決しようとする課題】
【０００５】
前記釣り用柄杓立ては、一般に、上方に開口を有する容器本体と、この容器本体を撒き餌容器に取り付けるためのフック状の係止部とを有しており、前記係止部により撒き餌容器等の開口に係止されて不使用時の釣り用柄杓を差し込んでおくことができるようになっている。
【０００６】
しかしながら、釣り人は、多くの場合、ウキを見ながらこの釣り用柄杓の取っ手部分（または柄）を手探りで探して握持するため、従来の釣り用柄杓立てでは、その開口の内側に沿って柄杓の柄が移動してしまうことがあり、柄杓を確実に掴むことが難しかった。
【０００７】
本発明は、前記事情に着目してなされたものであり、その目的とするところは、柄杓を移動させることなく確実に保持することができ、所定の位置で柄杓を容易に掴み取ることができるようにする使い勝手の良い釣り用柄杓立てを提供することにある。
【課題を解決するための手段】
【０００８】
前記課題を解決するために、本発明は、撒き餌を掬い取るための柄杓を立てた状態で保持する釣り用柄杓立てにおいて、上方に開口部を有する容器本体と、撒き餌容器に対して前記容器本体を係止させるための係止具とを有し、柄杓を移動しないように保持するための柄杓保持部が前記容器本体の内側に設けられていることを特徴とする。
【発明の効果】
【０００９】
本発明によれば、柄杓を移動しないように保持するための柄杓保持部が前記容器本体の内側に設けられているため、容器本体内に立て掛けた柄杓の柄を柄杓保持部に保持させることにより、柄杓を移動不能に立て掛けることができ、所定の位置で柄杓を容易に掴み取ることができるようになる。そのため、使い勝手が非常に良い。
【発明を実施するための最良の形態】
【００１０】
以下、図面を参照しながら、本発明の実施形態について説明する。
図１〜図３は本発明の第１の実施形態を示している。これらの図に示されるように、本実施形態の釣り用柄杓立て１は、上方に開口部９を有する容器本体２と、撒き餌Ｓが収容された撒き餌容器５０に対して容器本体２を係止させるための係止具４とから成り、柄杓４０を移動しないように保持するための柄杓保持部１５が容器本体２の内側に設けられている。なお、釣り用柄杓４０は、取っ手４０ｃを有する柄４０ａと、柄４０ａの先端に設けられた掬い部（以下、単にカップという）４０ｂとから成る。また、係止具４は、撒き餌容器５０の側壁の周縁部等に引っ掛けられて係止される一対のフック状の係止部４ａ，４ａから成る。
【００１１】
具体的に説明すると、容器本体２は、柔軟性を有する合成樹脂によって形成されており、底部１１と側壁部とを有している。本実施形態において、前記側壁部は、互いに対向する一対の第１および第２の側壁１０，１２と、これらの側壁１０，１２同士を接続するように互いに対向して延びる一対の第３および第４の側壁１４，１６とから成っている。なお、特に本実施形態において、第１の側壁１０は、係止具４が撒き餌容器５０に取り付けられた際に撒き餌容器５０と対向するように方向付けられて位置されているが、これに限定されるものではない。
【００１２】
容器本体２を形成する合成樹脂は非透水性を有しており、これにより、容器本体２内に水を貯めて、差し込んだ柄杓４０のカップ４０ｂを洗浄したり、撒き餌投入時の餌離れが良好となるようにカップ４０ｂを予め濡らすことができるようになっている。
【００１３】
また、容器本体２は、その内部への柄杓４０の差し込みが容易に行なえるように、底部１１よりも開口部９の方が広くなるように形成されている。そのため、容器本体２内に差し込まれた柄杓４０は、そのカップ４０ｂが底部１１に当接した位置で止まって保持され、これにより、差し込んだ柄杓４０が常に同じ高さで保持されるようになる（仮に、底部１１が無い柄杓立てに柄杓４０を差し込んでしまうと、カップ４０ｂが地面に付くまで柄杓４０が落下してしまう）。また、このように開口部９側が底部１１側よりも広く形成されていると、柄杓４０の差し込みが容易となる（釣り人は、容器本体２に対して柄杓４０を斜めに差し込むことができるため、態勢が楽になる）ばかりでなく、差し込まれた柄杓４０は、開口部９側よりも狭い底部１１側（カップ４０ｂ側）で移動が規制されて保持されるため、容器本体２内で倒れ難い。
【００１４】
また、このような開口部９側の広がりは、本実施形態においては、容器本体２の内側に形成される傾斜面、具体的には第１の側壁１０の段階的な傾斜によって形成されている。すなわち、第１の側壁１０は、第２の側壁（第１の側壁１０と対向する対向面）１２から離れるように底部１１から外側に斜め延びる第１の傾斜面１０ａと、第１の傾斜面１０ａの上端から第１の傾斜面１０ａよりも緩やかな傾斜で更に外側に延びる第３の傾斜面１０ｃと、第３の傾斜面１０ｃの上端から第３の傾斜面１０ｃよりも緩やかな傾斜で更に外側に延びる第２の傾斜面１０ｂとから成る。つまり、容器本体２の内側は、容器本体２の底部１１側から開口部９に向かって外側に傾斜しており、また、第２の傾斜面１０ｂは、開口部９から底部１１の第２の側壁１２側に向かって斜めに延びている。
【００１５】
また、前述したように、柄杓４０を移動しないように保持するべく容器本体２の内側に設けられる前記柄杓保持部１５は、第１の傾斜面１０ａと第２の傾斜面１０ｂとの間に位置する第３の傾斜面１０ｃに形成されている。なお、ここで言う「柄杓保持部」とは、容器本体２の側壁の内側に形成された凹部や凸部により囲まれる部分であって、柄杓４０の柄４０ａが納まって保持されるようになっている部分のことである。柄杓４０は、容器本体２に差し込まれた状態でこの柄杓保持部内に収まって柄４０ａが転がり動くことがないように移動が防止される。
【００１６】
具体的に、本実施形態において、柄杓保持部１５は、図３に明確に示されるように、第３の傾斜面１０ｃに形成された互いに隣接する複数の断面円弧型の凹部から成る。また、これらの凹部同士は、容器本体２の内側に向けて突出する凸状の仕切り部１７によって互いに分離されている。更に、各凹部の幅は、柄杓４０の柄４０ａの直径と略同一またはそれよりも若干大きく形成されている。
【００１７】
このような断面円弧型の凹状溝を成す複数の柄杓保持部１５を設けると、開口部９に差し込んだ柄杓４０の柄４０ａを更にいずれかの柄杓保持部１５に差し込むことにより、柄杓４０が移動を規制されて保持されるため、次に使用するときに取っ手４０ｃ等を握持し易くなる。
【００１８】
上記構成の釣り用柄杓立て１は、フック状の係止具４を撒き餌容器５０等に係止して使用することができる。柄杓４０で撒き餌Ｓを撒いた後に、釣り用柄杓立て１の容器本体２内に開口部９から柄杓４０を差し込む。柄杓４０が底部１１に当接すると、柄杓４０の保持高さが決められるとともに、柄杓４０は、外側に傾斜する第１の側壁１０に向けて自然と傾き、いずれかの柄杓保持部１５内に納まる。これにより、柄杓４０は倒れないように保持される。
【００１９】
以上説明したように、本実施形態の釣り用柄杓立て１は、柄杓４０を移動しないように保持するための複数の柄杓保持部１５を容器本体２の内側に隣接して有しているため、容器本体２内に立て掛けた柄杓４０の柄４０ａを柄杓保持部１５に保持させることにより、柄杓４０を移動不能に立て掛けることができ、所定の位置で柄杓４０を容易に掴み取ることができるようになる（杓立て１に柄杓４０を差し込むと、柄杓４０の柄４０ａが柄杓保持部１５に収まって移動が防止されるため、柄杓４０を取り出すときに把握し易い）。そのため、使い勝手が非常に良い。
【００２０】
また、本実施形態の釣り用柄杓立て１は、底部１１側から開口部９に向かって外側に傾斜する傾斜面１０ａ，１０ｂ，１０ｃを容器本体２の内側に有し、この傾斜面に柄杓保持部１５を有している。そのため、釣り用柄杓立て１の容器本体２内に開口部９から柄杓４０を差し込むと、柄杓４０は、外側に傾斜する傾斜面１０ａ，１０ｂ，１０ｃに向けて自然と傾き、必然的にいずれかの柄杓保持部１５内に納まるようになる。したがって、柄杓４０の柄４０ａは、傾斜面に立て掛けられて保持され移動し難い。
【００２１】
また、本実施形態の釣り用柄杓立て１では、第１の傾斜面１０ａと第２の傾斜面１０ｂとの間に柄杓保持部１５が設けられている。このように、容器本体２に柄杓４０を差し込んだときに当たり易い部分に柄杓保持部１５を設けると、柄杓４０が容易に保持されるようになる。
【００２２】
また、本実施形態の釣り用柄杓立て１において、第２の傾斜面１０ｂは、容器本体２の底部１１の第２の側壁１２側に向かって斜めに延びている。そのため、柄杓保持部１５に保持された柄杓４０の先端側が容器本体２の底部１１の第２の側壁１２側に当たるため、柄杓４０がより移動し難くなる。なお、この効果は、柄杓保持部１５を第２の傾斜面１０ｂに設けることにより更に向上する。その例が第２の実施形態として図４および図５に示されている。
【００２３】
すなわち、図４および図５に示されように、この第２の実施形態に係る釣り用柄杓立て１Ａでは、第２の傾斜面１０ｂに柄杓保持部３０が設けられており、特に図４に明確に示されるように、第２の傾斜面１０ｂは、柄杓保持部３０に保持された柄杓４０のカップ４０ｂが自然に第２の側壁１２側の底部１１の角部に当て付くように延びている。ここで、柄杓保持部３０は、図５に明確に示されるように、互いに隣接する複数の断面矩形状の凹部から成る。また、これらの矩形状の凹部同士は、容器本体２の内側に向けて突出する凸状の仕切り部３２によって互いに分離されている。更に、各凹部の幅は、柄杓４０の柄４０ａの直径と略同一またはそれよりも若干大きく形成されている。
【００２４】
このように、本実施形態では、柄杓保持部３０を容器本体２の開口部９側の緩やかな第２の傾斜面１０ｂに設けたため、外側から柄杓保持部３０が見易く、柄杓４０を容器本体２の開口部９内に差し込んで直ぐに柄杓保持部３０に保持させることができる。
【産業上の利用可能性】
【００２５】
本発明は、柄杓を保持するあらゆる容器に対して適用することができる。
【図面の簡単な説明】
【００２６】
【図１】本発明の第１の実施形態に係る釣り用柄杓立て及びこの釣り用柄杓立てが取り付けられる撒き餌容器の斜視図である。
【図２】本発明の第１の実施形態に係る釣り用柄杓立て及びこの釣り用柄杓立てが取り付けられる撒き餌容器の側断面図である。
【図３】図２のＡ−Ａ線に沿う断面図である。
【図４】本発明の第２の実施形態に係る釣り用柄杓立て及びこの釣り用柄杓立てが取り付けられる撒き餌容器の側断面図である。
【図５】図４のＢ−Ｂ線に沿う断面図である。
【符号の説明】
【００２７】
１  釣り用柄杓立て
２  容器本体
４  係止具
９  開口部
１０  第１の側壁
１０ａ  第１の傾斜面
１０ｂ  第２の傾斜面
１１  底部
１２  第２の側壁（対向面）
１５，３０  柄杓保持部
【図１】
2008029301.tif 000003
【図２】
2008029301.tif 000004
【図３】
2008029301.tif 000005
【図４】
2008029301.tif 000006
【図５】
2008029301.tif 000007